(57)【要約】【課題】  貨物自動車又はトレーラーの荷台に載せて目的地まで移動し、設置して商売を行うことが可能な移動店舗において、排水の処理が完全で、クローズドシステムの完備したものを提供する。【解決手段】  屋根２、床４および４面の側壁４，４，４，４で構成される直方体のコンテナ形状を有し、貨物自動車やトレーラーで搬送可能な大きさとされ、床４下に、扁平な排水タンク３０を、特に、補強脚部３１，３１間に、それぞれ独立に複数設け、かつ、それらの間を排水が連通するように中空筒状体３２で、排水タンク３０，３０同士が接続してコンテナ型移動店舗１とする。【選択図】      図２
2008031725.tif 000002
【特許請求の範囲】
【請求項１】
屋根、床および４面の側壁で構成される直方体のコンテナ形状を有し、
貨物自動車やトレーラーで搬送可能な大きさとされ、
床下に、扁平な排水タンクが設けられていること
を特徴とするコンテナ型移動店舗。
【請求項２】
前記排水タンクが、
床下に設けられた補強脚部間に、それぞれ独立に複数設けられ、かつ、それらの間を排水が連通するように中空筒状体で、排水タンク同士が接続されていること
を特徴とする請求項１記載のコンテナ型移動店舗。
【請求項３】
前記排水タンクが、
その内部に、排水が自在に通過しうる切抜き部を有する補強用仕切板を有するものであること
を特徴とする請求項１又は２記載のコンテナ型移動店舗。
【請求項４】
前記直方体が、
その短辺側の一側壁面には出入口、長辺側の側壁面には什器受入口が設けられ、長辺側の少なくとも一側壁面の一部は、上部を回転軸として回動することにより庇を形成する回動壁となっているものであること
を特徴とする請求項１〜３のいずれかに記載のコンテナ型移動店舗。
【請求項５】
前記什器が、
給水タンクおよび／またはプロパンボンベであること
を特徴とする請求項４に記載のコンテナ型移動店舗。
【請求項６】
前記直方体が、
その各四隅外部に、油圧で上下及び水平方向に伸縮し、直方体本体を上下動させる支柱を有するものであること
を特徴とする請求項１〜４のいずれかに記載のコンテナ型移動店舗。
【請求項７】
屋根、床および４面の側壁で構成される直方体のコンテナ形状を有し、貨物自動車やトレーラーで搬送可能な大きさとされ、
直方体の短辺側の一側壁面には出入口を、長辺側の側壁面には什器受入口を有し、
長辺側の少なくとも一側壁面の一部は、上部を回転軸として回動することにより庇を形成する回動壁とされ、
床下には、扁平な排水タンクが、床下に設けられた補強脚部間に、それぞれの間を排水が連通するように複数設けられ、
直方体の各四隅外部には、油圧で上下及び水平方向に伸縮し、直方体本体を上下動させる支柱が設けられていること
を特徴とするコンテナ型移動店舗。
【発明の詳細な説明】
【技術分野】
【０００１】
この発明は、貨物自動車又はトレーラーの荷台に載せて目的地まで搬送し、目的地において荷台から降ろして設置することにより、営業を行うことが可能な移動店舗、特に、調理を必要とする、うどんやラーメンを販売するに適したコンテナ型移動店舗に関するものである。
【背景技術】
【０００２】
この種の移動店舗は、スーパーとか大型家電量販店といった集客力のある大型店の駐車場や店の前の広場、あるいは駅前、イベント会場といった、多数の人が集まるところで、しかもスペース的余裕のないところにおいて、広範に利用されている。
【０００３】
したがって、これら移動店舗に関する改善、改良についても種々提案されている。
例えば、特開２００４−１８３３９８号公報（特許文献１）には、移動式店舗として以下のような店舗が提案されている。
【０００４】
すなわち、特許文献１に記載の移動式店舗は、移動式店舗の幅を、貨物自動車又はトレーラーの荷台が有する幅の８０〜１００％とすることにより、貨物自動車又はトレーラーにより目的地まで輸送することができるとともに、移動式店舗内で営業を行うスペースを広く取ることができるようにしている。
また、４個の吊り金具を所定の位置に設けることにより、移動式店舗の荷台からの積み下ろしを、店舗を吊り上げることにより可能としたものである。
【０００５】
また、特開２００４−２３７９６２号公報（特許文献２）には、移動販売車として以下のような店舗が提案されている。
【０００６】
特許文献２に記載の移動販売車は、トラック型自動車の荷台ボディーの側面開閉扉を取り外し、荷台載せ台の上に、ユニット式店舗を載せ脱着もでき、荷台ボディーとユニット式店舗柱を固定、板を設け、ボルトで止め付けたもので、小型化により、狭い道路、狭い場所でも移動販売ができ、移動販売車が事故等により破損した時、自動車の取替えか、ユニット式店舗の取替ができることで、修理代が安上がりで修理期間も速く、営業も早く出来るというものである。
【０００７】
さらに、特開２００６−２２６１３号公報（特許文献３）には、コンテナ型移動店舗として以下のような店舗が提案されている。
【０００８】
この特許文献３に記載のコンテナ型移動店舗は、コンテナ室内に調理設備を収容するとともに、周壁に上下方向へ回動可能な可動壁を設けたもので、この可動壁を上方へ回動させて窓を形成し、調理設備を露出させるとともに、この張り出した可動壁を屋根として用いるというものである。
【特許文献１】特開２００４−１８３３９８号公報（特許請求の範囲）
【特許文献２】特開２００４−２３７９６２号公報（段落番号０００４、０００８）
【特許文献３】特開２００６−２２６１３号公報（特許請求の範囲）
【発明の開示】
【発明が解決しようとする課題】
【０００９】
これらの移動店舗により営業を行う際に、問題となることには、エネルギー源（電力あるいはガス）や水の確保などもあるが、一番大きな問題は、排水の処理の問題である。
すなわち、電力や水は、特許文献１に示されるように、国内においては、外部からの調達にそれほど苦労するものでない。
また、配電あるいは水道施設のないところであれば、発電機の利用や湧水の利用により問題となることは少ないが、移動店舗からの排水は、都会であれ、山間地であれ、営業場所で処理することは本質的に不可能である。
【００１０】
しかも、移動店舗において取り扱われる商品が、ソフトクリームやたこ焼き、焼き鳥などの格別に水を必要としないものであれば、その処理に問題が生じることは少ないが、うどんやラーメンなどの水を用いた調理を必要とし、しかも商品自体からも廃液・廃水が生じるものにおいては、排水処理は非常に大きな問題となってくる。
【００１１】
従来から、この問題に対処するために、特許文献２や特許文献３に示されるように、排水タンクを店舗内に設置し、排水を持ち帰り処理するということが行われている。
例えば、特許文献２の図２に示されるように、店舗内に排水タンクを設置することが行われているが、その設置は狭い店舗内をさらに狭くするもので、かつ容量の大きいものは置けないため、水を多量に使用する店舗では採用の困難な方法で、止むを得ない場合にのみ使用するという程度のものであった。
【００１２】
さらに、特許文献３の図２に示される貯水タンクのように、排水タンクを店舗外に設置することも考えられるが、店舗外のタンクは、店舗の一体性を損ない、独立性を失わせることになり、貨物自動車又はトレーラーなどの運送媒体とは一線を画し、独立して使用されるコンテナ型の移動店舗には採用しがたいものである。
【００１３】
この発明はかかる現状に鑑み、コンテナ型移動店舗において、その床下に、扁平な排水タンク、特に、複数の扁平な排水タンクを、床下に設けられた補強脚部間に、それぞれ独立に、かつ排水が連通するように設けることにより、上記課題を解決し得ることを見出して、この発明を完成したのである。
【課題を解決するための手段】
【００１４】
前記目的を達成するため、この発明の請求項１に記載の発明は、
屋根、床および４面の側壁で構成される直方体のコンテナ形状を有し、
貨物自動車やトレーラーで搬送可能な大きさとされ、
床下に、扁平な排水タンクが設けられていること
を特徴とするコンテナ型移動店舗である。
【００１５】
また、この発明の請求項２に記載の発明は、
請求項１記載のコンテナ型移動店舗において、
前記排水タンクが、
床下に設けられた補強脚部間に、それぞれ独立に複数設けられ、かつ、それらの間を排水が連通するように中空筒状体で、排水タンク同士が接続されていること
を特徴とするものである。
【００１６】
また、この発明の請求項３に記載の発明は、
請求項１又は２記載のコンテナ型移動店舗において、
前記排水タンクが、
その内部に、排水が自在に通過しうる切抜き部を有する補強用仕切板を有するものであること
を特徴とするものである。
【００１７】
また、この発明の請求項４に記載の発明は、
請求項１〜３のいずれかに記載のコンテナ型移動店舗において、
前記直方体が、
その短辺側の一側壁面には出入口、長辺側の側壁面には什器受入口が設けられ、長辺側の少なくとも一側壁面の一部は、上部を回転軸として回動することにより庇を形成する回動壁となっているものであること
を特徴とするものである。
【００１８】
また、この発明の請求項５に記載の発明は、
請求項４に記載のコンテナ型移動店舗において、
前記什器が、
給水タンクおよび／またはプロパンボンベであること
を特徴とするものである。
【００１９】
また、この発明の請求項６に記載の発明は、
請求項１〜４のいずれかに記載のコンテナ型移動店舗において、
前記直方体が、
その各四隅外部に、油圧で上下及び水平方向に伸縮し、直方体本体を上下動させる支柱を有するものであること
を特徴とするものである。
【００２０】
さらに、この発明の請求項７に記載の発明は、
屋根、床および４面の側壁で構成される直方体のコンテナ形状を有し、貨物自動車やトレーラーで搬送可能な大きさとされ、
直方体の短辺側の一側壁面には出入口を、長辺側の側壁面には什器受入口を有し、
長辺側の少なくとも一側壁面の一部は、上部を回転軸として回動することにより庇を形成する回動壁とされ、
床下には、扁平な排水タンクが、床下に設けられた補強脚部間に、それぞれの間を排水が連通するように複数設けられ、
直方体の各四隅外部には、油圧で上下及び水平方向に伸縮し、直方体本体を上下動させる支柱が設けられていること
を特徴とするコンテナ型移動店舗である。
【発明の効果】
【００２１】
この発明のコンテナ型移動店舗においては、その床下に扁平な排水タンクが配置されたもので、その大きさに制限を受けることがないので、必要とされる容量、例えば４００ｌ以上の容量の排水タンクを設置することができ、また、以下のような優れた効果を生ぜしめることができる。
【００２２】
すなわち、排水タンクを複数に分割し、それぞれの間に補強脚部を設けることにより、排水タンク自体にかかる強度を少なくし、さらには、コンテナ型移動店舗自体の強度も十分に持たせることができ、安全な店舗とすることができる。
【００２３】
また、排水タンク内に、排水が自在に通過しうる切抜き部を有する補強用仕切板を設けることにより、排水タンク自体の強度をあげ、排水の貯蔵に充分に耐えるものとすることができる。
【００２４】
また、直方体のコンテナ形状の、短辺側の一側壁面には出入口、長辺側の側壁面には什器受入口を設け、長辺側の少なくとも一側壁面の一部は、上部を回転軸として回動することにより庇を形成する回動壁を設けることにより、使い勝手がよく、顧客にもやさしいコンテナ型移動店舗となる。
【００２５】
さらに、直方体のコンテナ形状の各四隅外部に、油圧で上下及び水平方向に伸縮し、直方体本体を上下動させる支柱を設けることにより、コンテナ型移動店舗の貨物自動車又はトレーラーからの積み下ろしが極めて容易にすることができ、貨物自動車又はトレーラー一台での搬送、運転手一人での積み下ろしを可能にするものである。
【００２６】
さらにまた、４００ｌあるいはそれ以上の大きな容量の排水タンクを設置することが可能なもので、それにより、貯水タンク、例えば３００ｌ容量の排水タンクと発電機を併用すれば、完全なクロ−ズドシステムを形成することができ、環境に優しいエコロジカルな移動店舗となる。
【発明を実施するための最良の形態】
【００２７】
以下、図面に基づいて、この発明のコンテナ型移動店舗について説明する。
図１は、この発明のコンテナ型移動店舗の正面図、図２は右側面図、図３は平面図、図４は内部構造を示す断面図である。
図から明らかなように、この発明のコンテナ型移動店舗１は、屋根２、床３と正面、左右側面および裏面の４面の側壁４，４，４，４から構成されているものである。
【００２８】
正面の側壁４は、什器受入口６の部分を除いて、図２に示されるように、上部を回転軸にして回動するように構成され、上部に回動させて、店舗における庇として機能するものである。
【００２９】
右側壁４には、出入口５が設けられている。また、四隅に設けられた支柱７，７，７，７を、上下および左右に伸縮させる油圧装置８と制御盤９が設けられ、左側壁４には、換気扇１０が設けられている。
【００３０】
裏面の側壁４には、什器受入口６とともに、可動枠１１が設けられている。
可動枠１１は、営業場所に、コンテナ型移動店舗１が設置された後に、側壁４から引出され、コンテナ型移動店舗１内を広くするとともに、商品用の戸棚１２やストッカー１３の設置場所になる。
【００３１】
屋根２には、換気口１４，１４が設けられ、その内面には、蛍光灯１５，１５が設けられている。
【００３２】
側壁４の四隅に設けられた支柱７，７，７，７は、コンテナ型移動店舗１の貨物自動車又はトレーラーへの積み下ろしに用いられるもので、積み下ろしの際には、油圧装置８により、各支柱７は、図３に示されるように左右に伸長する。
ついで、図１に示すように下方に向って伸長するので、コンテナ型移動店舗１は上部に持ち上げられ、コンテナ型移動店舗１の下には、支柱７，７，７，７で形成された空間が構成されるので、この空間に、貨物自動車又はトレーラーの荷台が差込み可能となる。
【００３３】
コンテナ型移動店舗１の下に、貨物自動車又はトレーラーの荷台が差込まれた後、左右および下方に延びだした支柱７，７，７，７を、それぞれ収縮させると、コンテナ型移動店舗１は、貨物自動車又はトレーラーの荷台へ積載された状態となるので、貨物自動車又はトレーラーでの運搬が可能となる。
【００３４】
この実施例では、以上のように、コンテナ型移動店舗１の貨物自動車又はトレーラーへの積み下ろしは、側壁４の四隅に設けられた支柱７，７，７，７で行っているので、非常に簡便な方法で好ましいものであるが、特許文献１に示されるような吊り金具を用い、クレーンを用いて積み下ろしを行うようにすることも可能である。
【００３５】
この発明のコンテナ型移動店舗１の特徴である排水タンクは、扁平な形状を有しコンテナ型移動店舗１の床下に設けられるもので、以下、その詳細を図面に基づいて説明する。
図５は、排水タンク３０のコンテナ型移動店舗１の床下の設置部の平面図、図６はその正面図、図７は、排水タンク３０の構造を説明する一部切欠斜視図である。
【００３６】
排水タンク３０は、コンテナ型移動店舗１の床下に設けられた、Ｕ字鋼などで作られた補強脚部３１，３１・・・の間に設けられるものである。
複数設けられる排水タンク３０は、特に、図７で明らかなように、いずれも中空筒状体３２で連結され、各排水タンク３０の間を排水が連通するように接続されている。
【００３７】
各排水タンク３０には、それぞれ空気抜き３４が設けられ、そのいずれか一つ、実施例では５つのうちの中央部に位置する排水タンク３０には、コンテナ型移動店舗１の内部に設けられるシンクに接続する排水受入口３３と排水抜出口３５が付設され、コンテナ型移動店舗１の床裏面あるいは補強脚部３１に溶接などの任意の手段で取付けられる。
なお、各排水タンク３０の内部には、図７に示すように、排水タンク自体に強度を持たせるために、排水は自在に通過しうる切抜き部を有する補強用仕切板３６が設けられている。
【００３８】
以上のように構成されるコンテナ型移動店舗１の内部には、図４に示されるように、シンク１６、茹で麺器１７、調理台１８、コンロ１９、カウンター２０、商品陳列台２１、さらにはガスボンベ２２、貯水タンク（図示せず）、発電機（図示せず）などが設置され、うどんの販売が可能とされるものである。
なお、この配置は実施例に限定されるものではなく、お好み焼き、焼肉などの販売商品に応じた設備とすればよく、また、カフェー、飲茶店さらには理容店としての利用も可能なものである。
【産業上の利用可能性】
【００３９】
この発明のコンテナ型移動店舗は、移動および設置が極めて簡単に行えるため、スーパーとか大型家電量販店といった集客力のある大型店の駐車場や店の前の広場、あるいは駅前、イベント会場などに、タイミングを逃さずに設置することができるものであるため、それら商業関係、さらには、コンテナ建設業界において、広く利用され得るものである。
【図面の簡単な説明】
【００４０】
【図１】この発明のコンテナ型移動店舗の正面図である。
【図２】この発明のコンテナ型移動店舗の右側面図である。
【図３】この発明のコンテナ型移動店舗の平面図である。
【図４】この発明のコンテナ型移動店舗の内部構造を示す断面図である。
【図５】この発明にかかるコンテナ型移動店舗床下の排水タンク設置部の平面図である。
【図６】この発明にかかるコンテナ型移動店舗床下の排水タンク設置部の正面図である。
【図７】排水タンクの構造を説明する一部切欠斜視図である。
【符号の説明】
【００４１】
１    コンテナ型移動店舗
２    屋根
３    床
４    側壁
５    出入口
６    什器受入口
７    支柱
８    油圧装置
９    制御盤
１０    換気扇
１１    可動枠
１２    戸棚
１３    ストッカー
１４    換気口
１５    蛍光灯
１６    シンク
１７    茹で麺器
１８    調理台
１９    コンロ
２０    カウンター
２１    商品陳列台
２２    ガスボンベ
３０    排水タンク
３１    補強脚部
３２    中空筒状体
３３    排水受入口
３４    空気抜き
３５    排水抜出口
３６    補強用仕切板
【図１】
2008031725.tif 000003
【図２】
2008031725.tif 000004
【図３】
2008031725.tif 000005
【図４】
2008031725.tif 000006
【図５】
2008031725.tif 000007
【図６】
2008031725.tif 000008
【図７】
2008031725.tif 000009